【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
蓄熱式選択触媒プロセスであって、
（ａ）既定の濃度の少なくとも１つの反応物質を既定の量の汚染物質含有気体と混合させて、混合された気体を形成するステップと、
（ｂ）前記混合された気体を処理装置に導入するステップと、
（ｃ）前記混合された気体中の前記汚染物質の濃度を低減するために、前記処理装置内の前記混合された気体を処理するステップであって、前記処理装置が複数の熱伝導領域および複数の触媒領域を含み、かかる処理には、
（ｉ）前記混合された気体に、前記複数の熱伝導領域のうちの少なくとも第１の熱伝導領域からの熱を受容させ、かつ、前記複数の熱伝導領域のうちの少なくとも第２の熱伝導領域へ熱を提供させるステップと、
（ｉｉ）前記混合された気体を、少なくとも前記複数の触媒領域のうちの第１の触媒領域および前記複数の触媒領域のうちの第２の触媒領域と接触させるステップであって、前記混合された気体が、少なくとも前記複数の触媒領域のうちの前記第１の触媒領域および前記複数の触媒領域のうちの前記第２の触媒領域のそれぞれにおいて、触媒還元を実行するステップと、
（ｉｉｉ）前記混合された気体を、前記混合された気体中のＣＯを酸化するための手段に接触させるステップと、
（ｉｖ）前記混合された気体を、かかる処理の間、前記装置内の少なくとも第１の方向および第２の方向に流入させるステップであって、前記第１の方向が前記第２の方向とは異なるステップと、を伴うステップと、
（ｄ）前記装置の前記複数の熱伝導領域のうちの少なくとも１つと連通する第１の気体移動に作用するデバイスを作動させることにより、前記装置から前記混合された気体を排出するステップと、
（ｅ）処理ステップ（ｃ）の間、前記装置から反応物質をパージするステップとを含む、蓄熱式選択触媒プロセス。
【請求項２】
前記混合された気体が、前記複数の熱伝導領域のうちの前記第１の熱伝導領域から前記複数の触媒領域のうちの前記第１の触媒領域への前記第１の方向に、および、前記複数の熱伝導領域のうちの前記第２の熱伝導領域から前記複数の触媒領域のうちの前記第２の触媒領域への前記第２の方向に流入する、請求項１に記載のプロセス。
【請求項３】
前記装置が複数のチャンバを含み、前記複数の熱伝導領域のうちの前記第１の熱伝導領域および前記複数の触媒領域のうちの前記第１の触媒領域の両方が、前記複数のチャンバのうちの第１のチャンバに配置され、前記複数の熱伝導領域のうちの前記第２の熱伝導領域および前記複数の触媒領域のうちの前記第２の触媒領域が、前記複数のチャンバのうちの第２のチャンバに配置される、請求項１に記載のプロセス。
【請求項４】
前記複数の熱伝導領域のうちの前記第１の熱伝導領域が前記混合された気体へ熱を提供し、前記複数の熱伝導領域のうちの前記第２の熱伝導領域が前記混合された気体からの熱を受容する、請求項１に記載のプロセス。
【請求項５】
ステップ（ｂ）の前に、前記複数の熱伝導領域のうちの前記第１の熱伝導領域を既定の温度に予熱するステップをさらに含む、請求項１に記載のプロセス。
【請求項６】
前記既定の温度が約６００°Ｆ〜約８００°Ｆの範囲である、請求項５に記載のプロセス。
【請求項７】
前記第１の気体移動に作用するデバイスがファンである、請求項１に記載のプロセス。
【請求項８】
前記第１の気体移動に作用するデバイスが、導管を介して前記少なくとも１つのチャンバと連通する、請求項１に記載のプロセス。
【請求項９】
前記導管がダンパを含み、前記ダンパは前記気体移動に作用するデバイスが作動すると開く、請求項８に記載のプロセス。
【請求項１０】
前記処理装置が少なくとも１つの熱発生デバイスを含む、請求項１に記載のプロセス。
【請求項１１】
前記少なくとも１つの熱発生デバイスが、前記混合された気体が前記複数の触媒領域のうちの１つと接触する前に、前記混合された気体へ熱を提供することができる既定の位置を有する、請求項１０に記載のプロセス。
【請求項１２】
前記少なくとも１つの熱発生デバイスが燃焼器である、請求項１０に記載のプロセス。
【請求項１３】
前記少なくとも１つの熱発生デバイスの温度が、前記混合された気体による接触の際に約９００°Ｆ〜約１６００°Ｆの範囲である、請求項１０に記載のプロセス。
【請求項１４】
前記少なくとも１つの反応物質がアンモニアである、請求項１に記載のプロセス。
【請求項１５】
前記混合された気体の温度が、ステップ（ａ）の後で約２００°Ｆ〜約４００°Ｆの範囲である、請求項１に記載のプロセス。
【請求項１６】
前記混合された気体の温度が、ステップ（ａ）の後で約３００°Ｆ〜約３５０°Ｆの範囲である、請求項１５に記載のプロセス。
【請求項１７】
前記混合された気体の温度が、ステップ（ａ）の後で約３２５°Ｆである、請求項１６に記載のプロセス。
【請求項１８】
前記汚染物質含有気体が窒素酸化物ＮＯｘを含有する、請求項１に記載のプロセス。
【請求項１９】
前記装置から反応物質をパージする前記ステップには、前記処理ステップ（ｃ）で使用されていない前記装置の前記複数の熱伝導領域のうちの少なくとも第３の熱伝導領域と連通する第２の気体移動に作用するデバイスを作動させることにより、前記装置から前記反応物質をパージするステップを含む、請求項１に記載のプロセス。
【請求項２０】
蓄熱式選択触媒プロセスであって、
（ａ）既定の濃度の少なくとも１つの反応物質を既定の量の汚染物質含有気体と混合させて、混合された気体を形成するステップと、
（ｂ）前記混合された気体を処理装置に導入するステップと、
（ｃ）前記混合された気体中の前記汚染物質の濃度を低減するために、前記処理装置内の前記混合された気体を処理するステップであって、前記処理装置が第１および第２の熱伝導領域、第１および第２の還元触媒領域、並びに、酸化触媒領域を含み、かかる処理には、
（ｉ）前記混合された気体に、前記第１の熱伝導領域からの熱を受容させ、かつ、前記第２の熱伝導領域へ熱を提供させるステップと、
（ｉｉ）前記混合された気体を、前記第１の還元触媒領域、酸化触媒領域および前記第２の還元触媒領域と接触させるステップであって、前記混合された気体が前記還元触媒領域のそれぞれにおいて触媒還元を実行し、かつ、前記混合された気体が前記酸化触媒領域において酸化を実行するステップと、
（ｉｖ）前記混合された気体を、かかる処理の間、前記装置内の少なくとも第１の方向および第２の方向に流入させるステップであって、前記第１の方向が前記第２の方向とは異なるステップと、を伴うステップと、
（ｄ）前記装置の前記熱伝導領域のうちの少なくとも１つと連通する、気体移動に作用するデバイスを作動させることにより、前記装置から前記混合された気体を排出するステップとを含む、蓄熱式選択触媒プロセス。
【請求項２１】
蓄熱式選択触媒プロセスであって、
（ａ）既定の濃度の少なくとも１つの反応物質を既定の量の汚染物質含有気体と混合させて、混合された気体を形成するステップと、
（ｂ）前記混合された気体を処理装置に導入するステップと、
（ｃ）前記混合された気体中の前記汚染物質の濃度を低減するために、前記処理装置内の前記混合された気体を処理するステップであって、前記処理装置が第１および第２の熱伝導領域、第１および第２の還元触媒領域、並びに、酸化触媒領域を含み、かかる処理には、
（ｉ）前記混合された気体に、前記第１の熱伝導領域からの熱を受容させ、かつ、前記第２の熱伝導領域へ熱を提供させるステップと、
（ｉｉ）前記混合された気体を、前記第１の還元触媒領域と接触させるステップであって、前記混合された気体が触媒還元を実行するステップと、
（ｉｉｉ）前記混合された気体を、前記酸化触媒領域と接触させるステップであって、前記混合された気体が、前記第１の還元触媒領域の下流の前記酸化触媒領域において酸化を実行するステップと、
（ｉｖ）前記混合された気体を、前記第２の還元触媒領域と接触させるステップであって、前記混合された気体が、前記酸化触媒領域の下流でさらなる触媒還元を実行するステップと、
（ｖ）前記混合された気体を、かかる処理の間、前記装置内の少なくとも第１の方向および第２の方向に流入させるステップであって、前記第１の方向が前記第２の方向とは異なるステップと、を伴うステップと、
（ｄ）前記装置の前記熱伝導領域のうちの少なくとも１つと連通する、気体移動に作用するデバイスを作動させることにより、前記装置から前記混合された気体を排出するステップとを含む、蓄熱式選択触媒プロセス。